(57)【特許請求の範囲】
【請求項１】
固定対象板に固定される光コネクタであって、
前記固定対象板に対向する底面部、及び、該底面部を挟む一対の側面部を有して角筒状に延びるハウジングと、
前記ハウジングの一方の開口を覆うように、前記底面部と平行な方向である該ハウジングの延在方向に沿って相対接近して結合する閉塞部材と、
前記ハウジングを前記固定対象板に固定するための固定ピンと、を備え、
前記側面部には、前記底面部に交差する方向を挿入方向として前記固定ピンが挿入されるピン挿入部が形成され、
前記閉塞部材は、前記延在方向に沿って延びる中途挿入規制部を有し、
前記固定ピンは、ピン本体と、該ピン本体から延びる先端部と、を有するとともに、前記ハウジングから前記固定対象板に向かって該先端部が所定寸法以上突出した状態を正規状態として前記ピン挿入部に挿入され、
前記中途挿入規制部は、前記固定ピンが非正規状態で前記ピン挿入部に挿入されている場合に、該ピン挿入部から前記固定対象板とは反対側に突出した前記ピン本体に前記延在方向から当接することを特徴とする光コネクタ。
【請求項２】
前記側面部には、前記ハウジングと前記閉塞部材との相対接近時に前記中途挿入規制部をガイドする第１ガイド溝と、該閉塞部材を係止する係止アームと、が形成され、
前記係止アームは、前記側面部から立設されるとともに互いに間隔をあけて配置された一対の立設部と、該一対の立設部のそれぞれから前記延在方向に沿って延びる一対のアーム部と、を有し、
前記第１ガイド溝は、前記一対の立設部の間に形成されていることを特徴とする請求項１に記載の光コネクタ。
【請求項３】
前記ハウジングは、前記底面部に対向する天面部をさらに有し、
前記係止アームと前記天面部との間には、前記延在方向に沿って延びる第２ガイド溝が形成され、
前記閉塞部材には、前記第２ガイド溝に係合するガイド突起が形成されていることを特徴とする請求項２に記載の光コネクタ。
【請求項４】
前記閉塞部材には、前記第２ガイド溝に位置して前記一対の側面部同士の対向方向から前記天面部を挟み込む一対の規制リブが形成されていることを特徴とする請求項３に記載の光コネクタ。
【請求項５】
前記延在方向に光が透過可能な窓部、及び、該窓部の周囲から該延在方向に突出したリブが形成された箱状の本体部を有する光学部品と、
前記リブを挿通可能な開口部が形成された前面板、及び、該前面板に対向する背面板を有して前記本体部を覆うシールドケースと、をさらに備え、
前記閉塞部材は、前記光学部品及び前記シールドケースを保持し、
前記ハウジングには、前記閉塞部材と結合した際に前記前面板を前記本体部に押圧する押圧突起が設けられていることを特徴とする請求項１〜４のいずれか１項に記載の光コネクタ。
【請求項６】
前記延在方向に光が透過可能な窓部、及び、該窓部の周囲から該延在方向に突出したリブが形成された箱状の本体部を有する光学部品と、
前記リブを挿通可能な開口部が形成された前面板、該前面板に対向する背面板、及び、該前面板と該背面板とを連結する連結部、を有して前記本体部を覆うシールドケースと、をさらに備え、
前記閉塞部材は、前記光学部品及び前記シールドケースを保持し、
前記前面板は、前記窓部の周囲から突出したリブが前記開口部に挿通されるとともに、該開口部における前記連結部と反対側の端部よりも該連結部側で折り曲げられて前記本体部から離れるように延びる折曲部を有し、
前記ハウジングには、前記閉塞部材と結合した際に前記折曲部に当接して前記本体部側に押圧する押圧部が設けられていることを特徴とする請求項１〜４のいずれか１項に記載の光コネクタ。
【請求項７】
前記延在方向に光が透過可能な窓部、及び、該窓部の周囲から該延在方向に突出したリブが形成された箱状の本体部を有する光学部品と、
前記リブを挿通可能な開口部が形成された前面板、該前面板に対向する背面板、及び、該前面板と該背面板とを連結する連結部、を有して前記本体部を覆うシールドケースと、をさらに備え、
前記閉塞部材は、前記光学部品及び前記シールドケースを保持し、
前記背面板は、前記連結部に向かうにしたがって前記本体部に近づく傾斜を有して前記前面板側に突出した突出片を有し、
前記シールドケースは、前記突出片と前記連結部との間に前記本体部を保持可能に構成され、
前記閉塞部材は、前記本体部と前記背面板との間に挿入されて前記突出片を該背面板に近づくように変形させる挿入壁部を有することを特徴とする請求項１〜４のいずれか１項に記載の光コネクタ。
【発明の詳細な説明】
【技術分野】
【０００１】
本発明は、固定対象板に固定される光コネクタに関する。
【背景技術】
【０００２】
従来、光コネクタとして、光学部品としてのＦＯＴ（Fiber Optic Transceiver）と、ＦＯＴを覆うシールドケースと、ＦＯＴ及びシールドケースを保持するアライメントと、を備えたものが提案されている（例えば、特許文献１参照）。特許文献１では、ＦＯＴ内部の素子に接続されたリードフレームと、シールドケースの脚部と、が回路基板（固定対象板）に固定されるようになっている。
【先行技術文献】
【特許文献】
【０００３】
【特許文献２】特開２００５−２６６１３０号公報
【発明の概要】
【発明が解決しようとする課題】
【０００４】
しかしながら、リードフレーム及び脚部の回路基板との接続部は電気的な接続の機能を有することから、この接続部によって光コネクタ全体の回路基板への固定を維持しようとすると、外力が加わった際に接続部において接触不良が発生してしまう可能性がある。そこで、ＦＯＴを収容するハウジングの一部に固定ピンを挿入して回路基板に固定し、ハウジングを回路基板に固定することにより光コネクタ全体の回路基板への固定を維持する構成が考えられる。しかしながら、固定ピンの挿入が不充分である場合、固定ピンの先端部のハウジングからの突出寸法が不足して固定不良が生じてしまう可能性がある。挿入された固定ピンが正規状態となって充分な突出寸法が得られているかどうかを作業者が目視等によって確認することは困難である。
【０００５】
本発明の目的は、所定の突出寸法が得られるように固定ピンをハウジングに対して取り付けることができる光コネクタを提供することにある。
【課題を解決するための手段】
【０００６】
前記課題を解決し目的を達成するために、請求項１に記載された発明は、固定対象板に固定される光コネクタであって、前記固定対象板に対向する底面部、及び、該底面部を挟む一対の側面部を有して角筒状に延びるハウジングと、前記ハウジングの一方の開口を覆うように、前記底面部と平行な方向である該ハウジングの延在方向に沿って相対接近して結合する閉塞部材と、前記ハウジングを前記固定対象板に固定するための固定ピンと、を備え、前記側面部には、前記底面部に交差する方向を挿入方向として前記固定ピンが挿入されるピン挿入部が形成され、前記閉塞部材は、前記延在方向に沿って延びる中途挿入規制部を有し、前記固定ピンは、ピン本体と、該ピン本体から延びる先端部と、を有するとともに、前記ハウジングから前記固定対象板に向かって該先端部が所定寸法以上突出した状態を正規状態として前記ピン挿入部に挿入され、前記中途挿入規制部は、前記固定ピンが非正規状態で前記ピン挿入部に挿入されている場合に、該ピン挿入部から前記固定対象板とは反対側に突出した前記ピン本体に前記延在方向から当接することを特徴とする光コネクタである。
【０００７】
請求項２に記載された発明は、請求項１に記載の発明において、前記側面部には、前記ハウジングと前記閉塞部材との相対接近時に前記中途挿入規制部をガイドする第１ガイド溝と、該閉塞部材を係止する係止アームと、が形成され、前記係止アームは、前記側面部から立設されるとともに互いに間隔をあけて配置された一対の立設部と、該一対の立設部のそれぞれから前記延在方向に沿って延びる一対のアーム部と、を有し、前記第１ガイド溝は、前記一対の立設部の間に形成されていることを特徴とするものである。
【０００８】
請求項３に記載された発明は、請求項２に記載の発明において、前記ハウジングは、前記底面部に対向する天面部をさらに有し、前記係止アームと前記天面部との間には、前記延在方向に沿って延びる第２ガイド溝が形成され、前記閉塞部材には、前記第２ガイド溝に係合するガイド突起が形成されていることを特徴とするものである。
【０００９】
請求項４に記載された発明は、請求項３に記載の発明において、前記閉塞部材には、前記第２ガイド溝に位置して前記一対の側面部同士の対向方向から前記天面部を挟み込む一対の規制リブが形成されていることを特徴とするものである。
【００１０】
請求項５に記載された発明は、請求項１〜４のいずれか１項に記載の発明において、前記延在方向に光が透過可能な窓部、及び、該窓部の周囲から該延在方向に突出したリブが形成された箱状の本体部を有する光学部品と、前記リブを挿通可能な開口部が形成された前面板、及び、該前面板に対向する背面板を有して前記本体部を覆うシールドケースと、をさらに備え、前記閉塞部材は、前記光学部品及び前記シールドケースを保持し、前記ハウジングには、前記閉塞部材と結合した際に前記前面板を前記本体部に押圧する押圧突起が設けられていることを特徴とするものである。
【００１１】
請求項６に記載された発明は、請求項１〜４のいずれか１項に記載の発明において、前記延在方向に光が透過可能な窓部、及び、該窓部の周囲から該延在方向に突出したリブが形成された箱状の本体部を有する光学部品と、前記リブを挿通可能な開口部が形成された前面板、該前面板に対向する背面板、及び、該前面板と該背面板とを連結する連結部、を有して前記本体部を覆うシールドケースと、をさらに備え、前記閉塞部材は、前記光学部品及び前記シールドケースを保持し、前記前面板は、前記窓部の周囲から突出したリブが前記開口部に挿通されるとともに、該開口部における前記連結部と反対側の端部よりも該連結部側で折り曲げられて前記本体部から離れるように延びる折曲部を有し、前記ハウジングには、前記閉塞部材と結合した際に前記折曲部に当接して前記本体部側に押圧する押圧部が設けられていることを特徴とするものである。
【００１２】
請求項７に記載された発明は、請求項１〜４のいずれか１項に記載の発明において、前記延在方向に光が透過可能な窓部、及び、該窓部の周囲から該延在方向に突出したリブが形成された箱状の本体部を有する光学部品と、前記リブを挿通可能な開口部が形成された前面板、該前面板に対向する背面板、及び、該前面板と該背面板とを連結する連結部、を有して前記本体部を覆うシールドケースと、をさらに備え、前記閉塞部材は、前記光学部品及び前記シールドケースを保持し、前記背面板は、前記連結部に向かうにしたがって前記本体部に近づく傾斜を有して前記前面板側に突出した突出片を有し、前記シールドケースは、前記突出片と前記連結部との間に前記本体部を保持可能に構成され、前記閉塞部材は、前記本体部と前記背面板との間に挿入されて前記突出片を該背面板に近づくように変形させる挿入壁部を有することを特徴とするものである。
【発明の効果】
【００１３】
請求項１に記載された発明によれば、固定ピンが非正規状態で挿入されている場合に中途挿入規制部が固定ピンのピン本体に延在方向から当接することで、ハウジングと閉塞部材とが延在方向に相対接近することが規制され、ハウジングと閉塞部材との結合が規制される。即ち、固定ピンが正規状態で挿入され、先端部のハウジングからの突出寸法が所定寸法以上となった場合にのみハウジングと閉塞部材とを結合させることができる。従って、所定の突出寸法が得られるように固定ピンをハウジングに取り付けることができる。このように所定の突出寸法を有した固定ピンの先端部を固定対象板に挿入して固定することにより、固定不良を抑制することができる。
【００１４】
請求項２に記載された発明によれば、ハウジングの係止アームによって閉塞部材の係止突起が係止されることで、ハウジングと閉塞部材との結合を維持し、挿入された固定ピンを正規状態に保つことができる。さらに、係止アームの一対のアーム部及び中途挿入規制部が延在方向に延びるとともに、一対の立設部の間に第１ガイド溝が形成されていることで、中途挿入規制部をアーム部に沿わせつつ第１ガイド溝に案内させてハウジングと閉塞部材とを相対接近させることにより、ハウジングと閉塞部材との結合作業の作業性を向上させることができる。
【００１５】
請求項３に記載された発明によれば、ハウジングに第２ガイド溝が形成されるとともに閉塞部材にガイド突起が形成されていることで、ハウジングと閉塞部材との結合作業の作業性をより向上させることができる。
【００１６】
請求項４に記載された発明によれば、閉塞部材に形成された一対の規制リブが天面部を一対の側面部同士の対向方向から挟み込むことから、ハウジングと閉塞部材とに外力が加わった場合に、規制リブと天面部とが当接することにより、ハウジングと閉塞部材とが一対の側面部同士の対向方向に相対移動することが規制される。従って、閉塞部材によって係止アームに対向方向への力が加わることが抑制され、係止アームが対向方向に撓みにくく、係止アームによる閉塞部材の係止の解除を抑制することができる。
【００１７】
請求項５に記載された発明によれば、シールドケースを光学部品の本体部に組み付ける際に、リブを開口部に挿通させるために前面板と背面板とが離れるようにシールドケースを変形させても、ハウジングと閉塞部材とを結合させた際に押圧突起によって前面板を本体部に押圧することにより、本体部に対するシールドケースのがたつきを抑制するとともに、前面板と本体部との間に隙間を生じにくくすることができる。このように隙間を生じにくくすることにより、隙間から電磁波が侵入することを抑制し、本体部においてノイズを発生しにくくすることができる。
【００１８】
請求項６に記載された発明によれば、前面板に開口部及び折曲部が形成されていることで、連結部と反対側の端部からシールドケースを本体部に近づけて組み付ける際に、本体部のリブが前面板に干渉することを抑制し、リブを開口部に挿通させることができる。さらに、ハウジングと閉塞部材とを結合させた際に押圧部によって折曲部を本体部側に押圧することにより、前面板を本体部に押し付け、本体部に対するシールドケースのがたつきを抑制することができる。
【００１９】
請求項７に記載された発明によれば、背面板に形成された突出片が連結部に向かうにしたがって本体部に近づく傾斜を有していることで、連結部と反対側の端部からシールドケースを本体部に近づけて組み付ける際に突出片が背面板側に変形する。組み付けが完了すると突出片が復元し、本体部が突出片と連結部との間に保持される。このようなシールドケース及び本体部を連結部と反対側の端部から閉塞部材に近づけると、挿入壁部が突出片を変形させていく。組み付けが完了すると、突出片の復元力によって挿入壁部が押圧されることにより、シールドケース全体が背面板側に移動しようとして前面板が本体部に押し付けられ、本体部に対するシールドケースのがたつきを抑制することができる。
【００２０】
また、挿入壁部が本体部と背面板との間に挿入され、挿入壁部と前面板とによって本体部が挟み込まれることから、前面板と背面板との間隔を広くすることができる。このように前面板と背面板との間隔を広くするとともに、シールドケースによって本体部を保持可能であることから、閉塞部材によって本体部を保持するよりも先に本体部にシールドケースを組み付けることにより、本体部のリブと前面板とを干渉しにくくすることができる。
【図面の簡単な説明】
【００２１】
【図１】本発明の第１実施形態に係る光コネクタ全体の構成を示す分解斜視図である。
【図２】前記光コネクタの光学部品が閉塞部材に保持される様子を示す斜視図である。
【図３】前記光コネクタのシールドケースを前記光学部品に組み付ける様子を示す斜視図である。
【図４】前記シールドケースの前記光学部品への組み付け途中の様子を示す断面図である。
【図５】前記閉塞部材と前記光コネクタのハウジングとを結合させる様子を示す斜視図である。
【図６】前記閉塞部材と前記ハウジングとを結合させようとした様子を示す断面図である。
【図７】前記閉塞部材と前記ハウジングとを結合させる様子を示す側面図である。
【図８】前記閉塞部材と前記ハウジングとを結合させる様子を示す断面図である。
【図９】前記光コネクタを示す断面図である。
【図１０】前記光コネクタを示す上面図である。
【図１１】前記光コネクタを示す背面図である。
【図１２】本発明の第２実施形態に係る光コネクタにおいて光学部品にシールドケースを組み付ける様子を示す斜視図である。
【図１３】前記シールドケースの前記光学部品への組み付け途中の様子を示す断面図である。
【図１４】前記光コネクタのハウジングと閉塞部材とを結合させる様子を示す断面図である。
【図１５】本発明の第３実施形態に係る光コネクタにおいて光学部品にシールドケースを組み付ける様子を示す斜視図である。
【図１６】前記光学部品に前記シールドケースを組み付ける様子を示す断面図である。
【図１７】前記光学部品及び前記シールドケースを前記光コネクタの閉塞部材に組み付ける様子を示す斜視図である。
【図１８】前記光学部品及び前記シールドケースを前記閉塞部材に組み付ける様子を示す断面図である。
【発明を実施するための形態】
【００２２】
以下、本発明の各実施形態を図面に基づいて説明する。なお、第２、３実施形態においては、第１実施形態で説明する構成部材と同じ構成部材及び同様な機能を有する構成部材には、第１実施形態と同じ符号を付すとともに説明を省略する。
【００２３】
＜第１実施形態＞
図１は、本発明の第１実施形態に係る光コネクタ１全体の構成を示す分解斜視図であり、図２は、光コネクタ１のＦＯＴ２がアライニングプレート４に保持される様子を示す斜視図であり、図３は、光コネクタ１のシールドケース３をＦＯＴ２に組み付ける様子を示す斜視図であり、図４は、シールドケース３のＦＯＴ２への組み付け途中の様子を示す断面図であり、図５は、アライニングプレート４と光コネクタ１のハウジング５とを結合させる様子を示す斜視図であり、図６は、アライニングプレート４とハウジング５とを結合させようとした様子を示す断面図であり、図７は、アライニングプレート４とハウジング５とを結合させる様子を示す側面図であり、図８は、アライニングプレート４とハウジング５とを結合させる様子を示す断面図であり、図９は、光コネクタ１を示す断面図であり、図１０は、光コネクタ１を示す上面図であり、図１１は、光コネクタ１を示す背面図である。
【００２４】
第１実施形態の光コネクタ１は、図１に示すように、光学部品としてのＦＯＴ（Fiber Optic Transceiver）２と、ＦＯＴ２のＦＯＴ本体２１を覆うシールドケース３と、ＦＯＴ２及びシールドケース３を保持する閉塞部材としてのアライニングプレート４と、アライニングプレート４と結合するハウジング５と、ハウジング５を固定対象板としての図示しない回路基板に固定するための固定ピン６と、ＦＯＴ２の後述する窓部２１１側に配置されるレンズユニット７と、を備える。光コネクタ１は、通信用の光の進行方向をＸ方向とし、回路基板との対向方向をＺ方向とし、Ｘ方向及びＺ方向に交差する方向をＹ方向とする。即ち、光コネクタ１は、ＸＹ平面に沿って延びる回路基板の一方側に固定され、Ｚ方向における回路基板に対する光コネクタ１側を上方側とし、光コネクタ１に対する回路基板側を下方側とする。また、Ｘ方向において、ＦＯＴ２が送信する光が進行する方向を前面側とし、ＦＯＴ２が受信する光が進行する方向を背面側とする。
【００２５】
ＦＯＴ２は、Ｙ方向に並設された送信用ユニット２０Ａと受信用ユニット２０Ｂとで構成されている。尚、送信用ユニット２０Ａと受信用ユニット２０Ｂとの配置は逆であってもよい。送信用ユニット２０Ａ及び受信用ユニット２０Ｂは、発光素子又は受光素子を樹脂性かつ箱状（略直方体状）のケース体に内蔵した本体部としてのＦＯＴ本体２１と、各素子を回路基板に電気的に接続するためのリードフレーム２２と、を有する。ＦＯＴ本体２１は、各素子が送受信する光を透過可能な円形の窓部２１１と、窓部２１１の周囲からＸ方向に突出した円環状のリブ２１２と、を有し、窓部２１１及びリブ２１２をＸ方向前面側に向けて配置される。即ち、Ｘ方向に沿って進行する光が窓部２１１を透過するようになっている。リードフレーム２２は、一端が各素子に接続されるとともに、他端が回路基板に形成された孔に差し込まれて半田付けによって固定されるようになっている。
【００２６】
シールドケース３は、電磁的なシールドを行うための部材であって、導電性を有する金属薄板をプレス加工することにより形成され、送信用ユニット２０Ａ及び受信用ユニット２０Ｂのそれぞれに対応するとともに一体的に形成されたケースユニット３０Ａ、３０Ｂで構成されている。ケースユニット３０Ａ、３０Ｂは、それぞれ、ＦＯＴ本体２１のＸ方向前面側（窓部２１１側）を覆う前面板３１と、前面板３１に対向するとともにＸ方向背面側を覆う背面板３２（図４参照）と、ＦＯＴ本体２１を上方から覆うとともに前面板３１と背面板３２とを連結する連結部としての天板３３と、ＦＯＴ本体２１の側面（ＺＸ平面に略平行な面）を覆う側面板３４と、を有する。即ち、ケースユニット３０Ａ、３０Ｂは、Ｚ方向下方側において開口した箱状に形成されている。前面板３１と天板３３と側面板３４とが連続した１枚の金属板を曲げ加工することによって形成されている。前面板３１と天板３３との間の折り曲げ部分をヒンジとして変形させることで、前面板３１がこのヒンジを軸として回動し、ケースユニット３０Ａ、３０Ｂの開口の大きさが調節できるようになっている。前面板３１と背面板３２とは、ＦＯＴ本体２１と後述する背面縦壁４２１とを挟み込むことができるような離隔寸法を有している。
【００２７】
前面板３１には、ＦＯＴ本体２１のリブ２１２を挿通可能な開口部３１１が形成されている。背面板３２には、図４に示すように、一部がＸ方向前面側に打ち出されることにより、バネ性を有する突出片としての打ち出し部３２１が形成されている。側面板３４には、Ｚ方向下方側に延びる脚部３４１が形成され、脚部３４１はＦＯＴ２のリードフレーム２２と同様に回路基板に接続される。
【００２８】
アライニングプレート４は、絶縁性を有する樹脂成形品であり、図４にも示すように、ＦＯＴ本体２１が載置される載置部４１と、載置部４１から立設された縦壁４２と、縦壁４２の背面側において載置部４１から立設された壁状の挟持壁４３と、挟持壁４３のＹ方向両側に位置する一対の側壁４４と、を有している。尚、載置部４１には、ＦＯＴ２のリードフレーム２２及びシールドケース３の脚部３４１を、それぞれ差し込んで芯合わせするとともに曲がり難くするための複数の貫通孔やスリットが形成されている。
【００２９】
縦壁４２は、ＹＺ平面に略平行でありＦＯＴ本体２１の背面に沿う挿入壁部としての背面縦壁４２１と、ＺＸ平面に略平行でありＦＯＴ本体２１を側壁４４との間にＹ方向から挟み込む側面縦壁４２２と、を有している。挟持壁４３が背面縦壁４２１と離隔して配置されていることで、挟持壁４３と背面縦壁４２１との間には、シールドケース３の背面板３２を挟み込んで収容する収容溝４５（図４参照）が形成されている。また、挟持壁４３の上端辺におけるＹ方向略中央部には、後述するハウジング５のカバー板５３に内側から当接するように突出した当接リブ４３１が形成されている。
【００３０】
側壁４４には、挟持壁４３よりも上方に突出した規制リブ４４１と、規制リブ４４１からＹ方向外側に突出したガイド突起４４２と、後述する係止アーム５２１に係止される係止突起であるロックビーク４４３と、Ｘ方向に沿って前面側に向かって延びる棒状の中途挿入規制部４４４と、が形成されている。ロックビーク４４３と中途挿入規制部４４４とはＺ方向において略同一高さに配置されている。また、中途挿入規制部４４４は、後述するように光コネクタ１の組立が完了した際に、図５（Ｂ）に示すように後述するピン挿入部５２３全体をＺ方向上方側から覆うことができるようなＸ方向寸法を有している。尚、中途挿入規制部４４４は、ピン挿入部５２３に挿入された固定ピン６の少なくとも一部を覆うことができるＸ方向寸法を有していればよい。
【００３１】
ハウジング５は、絶縁性を有する樹脂成形品であり、回路基板に対向するとともにＸＹ平面に沿って延びる底面部５１、と、底面部５１をＹ方向から挟むとともにＺＸ平面に沿って延びてＹ方向に対向する一対の側面部５２と、底面部５１のＺ方向上方側に位置して底面部５１と略平行に延びる天面部としてのカバー板５３と、を有してＸ方向を延在方向とする角筒状に形成され、内空間５Ａを有している。
【００３２】
側面部５２には、アライニングプレート４のロックビーク４４３を係止する係止アーム５２１が形成され、係止アーム５２１は、側面部５２のＸ方向背面側端部においてＹ方向に沿って立設された一対の立設部５２１Ａと、一対の立設部５２１Ａの先端のそれぞれからＸ方向に沿って背面側に延びる一対のアーム部５２１Ｂと、一対のアーム部５２１Ｂの先端同士を接続するアーム先端部５２１Ｃと、を有している。一対の立設部５２１Ａ同士の間には、ハウジング５とアライニングプレート４との結合時に中途挿入規制部４４４をガイドする第１ガイド溝５２２が形成されている。一対の側面部５２のそれぞれに形成された係止アーム５２１は、ハウジング５とアライニングプレート４とが結合した際にアライニングプレート４をＹ方向から挟み込むように配置されている。
【００３３】
さらに、側面部５２には、Ｚ方向を挿入方向として固定ピン６が挿入される筒状のピン挿入部５２３が形成されている。ピン挿入部５２３の内側には、固定ピン６と同等又は若干小さいＸ方向及びＹ寸法を有した挿入孔５２３Ａが形成されており、固定ピン６が圧入される。挿入孔５２３Ａには、図６に示すように、被挟持部５２４が設けられており、固定ピン６と回路基板とによって被挟持部５２４がＺ方向から挟まれることにより、ハウジング５が固定ピン６によって回路基板に固定される。また、固定ピン６は、後述するように二俣形状の先端部６２を有しており、被挟持部５２４が先端部６２によってＸ方向から挟まれるようになっている。
【００３４】
カバー板５３と一対の係止アーム５２１とのそれぞれの間には、Ｘ方向に延びる第２ガイド溝５２５が形成されている。カバー板５３と一対の係止アーム５２１とは、Ｙ方向においてアライニングプレート４の規制リブ４４１の厚さと略同一寸法だけ離隔し、第２ガイド溝５２５にガイド突起４４２が係合するようになっている。また、カバー板５３の下面には、当接リブ４３１に対応した位置に規制凹溝５３１（図１１参照）が形成されている。
【００３５】
また、図８に示すように、底面部５１には、Ｘ方向背面側に突出した押圧突起５４が形成されている。さらに、ハウジング５の内空間５Ａ内には、図示しない光ファイバ及びレンズユニット７を保持するための一対の円筒状のスリーブ５５が設けられている。一対のスリーブ５５は、図９に示すように、後述する一対のレンズ部７２のそれぞれに対応している。
【００３６】
固定ピン６は、例えば適宜な金属部材を打ち抜き加工することによって構成され、ピン本体６１と、ピン本体６１から二俣形状を有してＺ方向下方側に延びる一対の先端部６２と、を備える。ピン挿入部５２３に挿入された固定ピン６は、一対の先端部６２によってＸ方向から被挟持部５２４を挟み込む。先端部６２のうち、ピン挿入部５２３からＺ方向下方側に突出した部分が、ＦＯＴ２のリードフレーム２２及びシールドケース３の脚部３４１と同様に回路基板に対して固定される。
【００３７】
レンズユニット７は、平板状の一対の基板７１と、各基板７１から立設された一対のレンズ部７２と、を所定の光学特性を有する透明樹脂により一体に成形したものである。なお、一対のレンズ部７２の一方は、ＦＯＴ２の発光素子からの光を光ファイバ側に集光し、他方は光ファイバからの光をＦＯＴ２の受光素子に集光する。
【００３８】
以下、光コネクタ１の組み立て方法及び手順について説明する。まず、図２（Ａ）、（Ｂ）に示すように、アライニングプレート４に対してＦＯＴ２をＺ方向上方側から近づけていき、ＦＯＴ本体２１を載置部４１に載置する。このとき、ＦＯＴ本体２１を側面縦壁４２２と側壁４４との間に配置するとともに、ＦＯＴ本体２１の背面を背面縦壁４２１に沿わせる。
【００３９】
次に、図３（Ａ）、（Ｂ）に示すように、ＦＯＴ本体２１に対してシールドケース３をＺ方向上方側から被せる。このとき、図４に示すように、収容溝４５にシールドケース３の背面板３２を挿入していく。背面板３２においてＸ方向前方側に打ち出された打ち出し部３２１は、背面縦壁４２１と当接することにより背面側に弾性変形していく。さらに、前面板３１とＦＯＴ本体２１のリブ２１２とが干渉しないように、下方側の開口のＸ方向寸法が大きくなるようにシールドケース３を弾性変形させる。シールドケース３の組み付けが完了したら、前面板３１の開口部３１１にリブ２１２が挿通され、シールドケース３が元の形状に復元しようとする。即ち、背面板３２の打ち出し部３２１が背面縦壁４２１を押圧することでシールドケース３全体がＸ方向背面側に移動しようとするとともに、前面板３１と背面板３２とが接近しようとし、前面板３１がＦＯＴ本体２１の前面に近づく。このように組み付けられたＦＯＴ２とシールドケース３とアライニングプレート４とによって中間アッセンブリ１０が形成される。
【００４０】
次に、ハウジング５のピン挿入部５２３に固定ピン６を挿入し、図５〜８に示すように、ハウジング５と中間アッセンブリ１０とをＸ方向に沿って相対接近させていき、ハウジング５の背面側の開口をアライニングプレート４によって覆うように、ハウジング５とアライニングプレート４とを結合させる。このとき、中途挿入規制部４４４を第１ガイド溝５２２に挿通して案内させるとともに、係止アーム５２１の一対のアーム部５２１Ａと中途挿入規制部４４４とが略平行になるようにする。さらに、第２ガイド溝５２５にガイド突起４４２を係合させて案内させる。即ち、ガイド突起４４２が係止アーム５２１の上側のアーム部５２１Ａの上端に摺接し、規制リブ４４１がカバー板５３のＹ方向両端部に摺接するようにする。さらに、カバー板５３の規制凹溝５３１に当接リブ４３１が嵌まり込むようにする。
【００４１】
ここで、ピン挿入部５２３に挿入される固定ピン６は、図６（Ａ）に示すようにピン本体６１の下端が被挟持部５２４に当接する位置を正規位置とし、正規位置まで挿入されて正規状態となる。正規状態の固定ピン６は、先端部６２の突出寸法Ｌが予め定められた正規の突出寸法と略等しくなる。一方、図６（Ｃ）に示すように、固定ピン６が正規位置まで挿入されていない、即ち、先端部６２の突出寸法Ｌが正規の突出寸法よりも小さい場合、固定ピン６は非正規状態となる。尚、先端部６２の突出寸法とは、ハウジング５のうちＺ方向の最も下方側に位置する部分からの突出寸法であり、ハウジング５が回路基板に載置された際に回路基板への挿入に利用することができる寸法を意味している。本実施形態では、ピン挿入部５２３の下端からの突出寸法を先端部６２の突出寸法とする。
【００４２】
図６（Ａ）に示すように固定ピン６が正規状態で挿入された場合にハウジング５と中間アッセンブリ１０とをＸ方向に相対接近させると、図６（Ｂ）に示すように、固定ピン６と中途挿入規制部４４４とが干渉せず、相対接近は規制されない。さらに、中途挿入規制部４４４がＺ方向において固定ピン６と隣接し、固定ピン６に上方への外力が加わった場合に、固定ピン６が非正規状態になってしまったり、ピン挿入部５２３から抜けてしまったりすることが規制される。一方、図６（Ｃ）に示すように固定ピン６が非正規状態で挿入された場合にハウジング５と中間アッセンブリ１０とをＸ方向に相対接近させようとすると、ピン本体６１のうちピン挿入部５２３から上方側に突出した部分に中途挿入規制部４４４がＸ方向から当接し、相対接近が規制される。
【００４３】
また、ハウジング５と中間アッセンブリ１０とは、図５（Ｂ）に示すように係止アーム５２１によってロックビーク４４３が係止されることで結合し、光コネクタ１の組立が完了する。係止アーム５２１はロックビーク４４３を乗り越える際にＹ方向外側に撓み変形し、第２ガイド溝５２５のＹ方向における溝幅が広がるものの、ガイド突起４４２はロックビーク４４３よりもＸ方向前面側に設けられており、ガイド突起４４２が第２ガイド溝５２５から脱落しにくくなっている。また、図８（Ｂ）に示すように、ハウジング５に形成された押圧突起５４によってシールドケース３の前面板３１の下端部が押圧され、前面板３１がＦＯＴ２のＦＯＴ本体２１の前面に押し付けられる。即ち、前面板３１とＦＯＴ本体２１との間に隙間が生じにくく、シールドケース３のＦＯＴ本体２１に対するがたつきが抑制される。さらに、押圧突起５４は、前面板３１を介してＦＯＴ本体２１を背面縦壁４２１に押し付け、ＦＯＴ本体２１及びシールドケース３のアライニングプレート４に対するがたつきが抑制される。
【００４４】
ここで、以上のように組み立てられた光コネクタ１における各部の位置関係について説明する。まず、図９、１０に示すように、ピン挿入部５２３に挿入された固定ピン６が中途挿入規制部４４４によってＺ方向上方から覆われる。尚、図９は、ＸＹ平面に平行且つ中途挿入規制部４４４を含む平面に沿った断面を示している。また、ハウジング５のカバー板５３がアライニングプレート４の一対の規制リブ４４１によってＹ方向から挟み込まれる。さらに、図１１に示すように、アライニングプレート４の突起状の当接リブ４３１がカバー板５３の規制凹溝５３１に嵌まり込んでいる。
【００４５】
このような本実施形態によれば、以下のような効果がある。即ち、固定ピン６が正規状態で挿入され、先端部６２の突出寸法Ｌが正規の突出寸法以上となった場合にハウジング５と中間アッセンブリ１０とが結合することで、所定の突出寸法が得られるように固定ピン６をハウジング５に取り付けることができる。このように所定の突出寸法を有した固定ピン６の先端部６２を回路基板に挿入して固定することにより、固定不良を抑制することができる。
【００４６】
さらに、中途挿入規制部４４４をアーム部５２１Ａに沿わせつつ第１ガイド溝５２２に案内させてハウジング５と中間アッセンブリ１０とを相対接近させることにより、ハウジング５と中間アッセンブリ１０との結合作業の作業性を向上させることができる。また、ハウジング５の第２ガイド溝５２５にアライニングプレート４のガイド突起４４２が係合して案内されることで、ハウジング５と中間アッセンブリ１０との結合作業の作業性をより一層向上させることができる。
【００４７】
さらに、アライニングプレート４に形成された一対の規制リブ４４１がカバー板５３をＹ方向から挟み込むとともに、当接リブ４３１が規制凹溝５３１に嵌まり込むことから、ハウジング５と中間アッセンブリ１０とに外力が加わった場合に、規制リブ４４１とカバー板５３とがＹ方向から当接するとともに、当接リブ４３１が規制凹溝５３１内でＹ方向からカバー板５３に当接ことにより、ハウジング５と中間アッセンブリ１０とがＹ方向に相対移動することが規制される。従って、アライニングプレート４が係止アーム５２１にＹ方向の力を加えることが抑制され、係止アーム５２１が対向方向に撓みにくく、係止アーム５２１によるロックビーク４４３の係止の解除を抑制することができる。
【００４８】
さらに、ハウジング５に形成された押圧突起５４によってシールドケース３の前面板３１の下端部が押圧され、ＦＯＴ本体２１及びシールドケース３のアライニングプレート４に対するがたつきが抑制されていることで、ハウジング５のスリーブ５５に保持されたレンズユニット７とＦＯＴ本体２１との距離を略一定に保ちやすくし、ＦＯＴ本体２１による通信を安定化させることができる。さらに、前面板３１とＦＯＴ本体２１との間に隙間が生じにくいことで、隙間から電磁波が侵入することを抑制し、ＦＯＴ本体２１においてノイズを発生しにくくすることができる。
【００４９】
＜第２実施形態＞
図１２は、本発明の第２実施形態に係る光コネクタ１ｂにおいてＦＯＴ２にシールドケース３ｂを組み付ける様子を示す斜視図であり、図１３は、シールドケース３ｂのＦＯＴ２への組み付け途中の様子を示す断面図であり、図１４は、光コネクタ１のハウジング５とアライニングプレート４とを結合させる様子を示す断面図である。
【００５０】
第２実施形態の光コネクタ１ｂは、図１２〜１４に示すように、第１実施形態の光コネクタ１のシールドケース３に代えて、シールドケース３ｂを備える。
【００５１】
シールドケース３ｂの前面板３１には、開口部３１１と、折曲部３１２と、が形成されている。折曲部３１２は、開口部３１１のＺ方向略中央部においてＸ方向前面側に折り曲げられ、ＦＯＴ本体２１から離れるように延びている。尚、前面板３１のうち折り曲げられた部分からＺ方向下端部までの領域を折曲部３１２とする。また、前面板３１は、開口部３１１の下端部よりも上方側において折り曲げられることで折曲部３１２が形成されていればよい。前面板３１は、折曲部３１２よりも上側の部分において側面板３４と連続し、折曲部３１２において側面板３４と離隔している。
【００５２】
また、本実施形態のハウジング５には、第１実施形態のようにＸ方向背面側に突出した押圧突起５４は形成されず、この部分（即ち、底面部５１のＸ方向背面側端面における上側部分）が押圧部５６（図１４参照）となる。尚、押圧部５６には、第１実施形態と同様に突起が形成されていてもよい。
【００５３】
このような光コネクタ１ｂの組み立て方法及び手順について説明する。第１実施形態と同様にアライニングプレート４にＦＯＴ２を載置した後、ＦＯＴ本体２１にＺ方向上方側からシールドケース３ｂを被せていく。このとき、図１３に示すように、折曲部３１２がＦＯＴ本体２１のリブ２１２と干渉しにくく、シールドケース３ｂを変形させる必要がないか、又は、ほとんど変形させなくてもよい。図１２（Ｂ）に示すようにシールドケース３ｂがＦＯＴ本体２１に組み付けられて中間アッセンブリ１０ｂが形成されたら、図１４（Ａ）、（Ｂ）に示すように、ハウジング５と中間アッセンブリ１０ｂとをＸ方向に相対接近させて結合させる。
【００５４】
ハウジング５と中間アッセンブリ１０ｂとの結合時に、押圧部５６が折曲部３１２に当接してＸ方向背面側に押圧する。従って、折曲部３１２がＦＯＴ本体２１に近づくように変形し、前面板３１とＦＯＴ本体２１の前面との隙間が小さくなるとともに、シールドケース３ｂのＦＯＴ本体２１に対するがたつきが抑制される。尚、押圧部５６は、折曲部３１２がＦＯＴ本体２１の前面に当接するように押圧してもよい。さらに、折曲部３１２に生じる復元力により、シールドケース３全体が背面側に移動しようとし、前面板３１のうち折曲部３１２よりも上側の部分がＦＯＴ本体２１に押し付けられるとともに、ＦＯＴ本体２１が背面縦壁４２１に押し付けられる。従って、ＦＯＴ本体２１及びシールドケース３ｂのアライニングプレート４に対するがたつきが抑制される。
【００５５】
このような本実施形態によれば、以下のような効果がある。即ち、前面板３１に開口部３１１及び折曲部３１２が形成されていることで、ＦＯＴ本体２１にシールドケース３を組み付ける際に、リブ２１２が前面板３１に干渉することを抑制することができる。さらに、押圧部５６によって折曲部３１２が押圧され、ＦＯＴ本体２１及びシールドケース３ｂのアライニングプレート４に対するがたつきが抑制されていることで、ハウジング５のスリーブ５５に保持されたレンズユニット７とＦＯＴ本体２１との距離を略一定に保ちやすくし、ＦＯＴ本体２１による通信を安定化させることができる。
【００５６】
＜第３実施形態＞
図１５は、本発明の第３実施形態に係る光コネクタにおいてＦＯＴ２にシールドケース３ｃを組み付ける様子を示す斜視図であり、図１６は、ＦＯＴ２にシールドケース３ｃを組み付ける様子を示す断面図であり、図１７は、ＦＯＴ２及びシールドケース３ｃを光コネクタのアライニングプレート４に組み付ける様子を示す斜視図であり、図１８は、ＦＯＴ２及びシールドケース３ｃをアライニングプレート４に組み付ける様子を示す断面図である。
【００５７】
第３実施形態の光コネクタでは、図１５〜１８に示すように、第１実施形態の光コネクタ１のシールドケース３に代えて、シールドケース３ｃが用いられる。
【００５８】
シールドケース３ｃの背面板３２には、一部がＸ方向前面側に打ち出されることにより、バネ性を有する突出片３２２が形成されている。突出片３２２は、背面板３２のうちＺ方向下端近傍を基端として、上方の天板３３側に向かうにしたがってＸ方向前方側に向かう（即ち、ＦＯＴ本体２１に近づく）傾斜を有して突出している。また、背面板３２には、上端部において前面板３１に近づくように段部３２３が形成されている。背面板３２における段部３２３よりも上側の上側部分３２４と前面板３１との間隔は、ＦＯＴ本体２１におけるリブ２１２を除く部分のＸ方向寸法に略等しく、段部３２３よりも下側の下側部分３２５と前面板３１との間隔は、ＦＯＴ本体２１のＸ方向寸法とアライニングプレート４の背面縦壁４２１のＸ方向寸法との合計に略等しいとともに、ＦＯＴ本体２１のリブ２１２を含むＸ方向寸法よりも大きい。
【００５９】
このような光コネクタの組み立て方法及び手順について説明する。まず、図１５（Ａ）、（Ｂ）に示すように、アライニングプレート４に載置する前のＦＯＴ本体２１に対してＺ方向上方側からシールドケース３ｃを被せる。このとき、図１６（Ａ）、（Ｂ）に示すように、ＦＯＴ本体２１の背面側が突出片３２２に当接してＸ方向背面側に変形させる。これにより、前面板３１とリブ２１２とが干渉しないようにすることができる。突出片３２２の復元力によってＦＯＴ本体２１が前方側に押圧されることから、シールドケース３ｃとＦＯＴ本体２１とをＺ方向においてさらに近づけていくと、リブ２１２の上端部が開口部３１１に入り込み、ＦＯＴ本体２１は、上方側がＸ方向前方側に向かうような傾斜を有して全体が傾く。
【００６０】
このようにＦＯＴ本体２１が傾斜した状態でシールドケース３ｃをＺ方向にさらに近づけていくと、図１６（Ｃ）に示すように、リブ２１２全体が開口部３１１に挿通されることにより、ＦＯＴ本体２１の傾きが解消されるとともに、ＦＯＴ本体２１の前面が前面板３１に押し付けられ、突出片３２２が復元する。突出片３２２の先端は、ＦＯＴ本体２１の下面のうちＸ方向背面側の端部近傍に当接し、天板３３との間にＦＯＴ本体２１を保持する。即ち、ＦＯＴ本体２１が突出片３２２によって支持され、自重によって落下しないようになっている。このとき、ＦＯＴ本体２１は、リブ２１２よりも上側において前面板３１と背面板３２の上側部分３２４との間に挟まれ、それよりも下側の部分において前面板３１と下側部分３２５との間に挟まれる。
【００６１】
次に、図１７（Ａ）、（Ｂ）に示すように、このように組み付けられたＦＯＴ２及びシールドケース３ｃを、Ｚ方向上方側からアライニングプレート４に近づけて組み付ける。このとき、図１８（Ａ）に示すように、背面板３２が収容溝４５に挿入されるとともに、ＦＯＴ本体２１の背面と背面板３２との間に背面縦壁４２１が挿入されるように位置合わせする。図１８（Ａ）に示す状態から、ＦＯＴ２及びシールドケース３ｃをアライニングプレート４に対して近づけていくと、背面縦壁４２１に当接した突出片３２２が上方に凸に撓み変形していき、その先端がＦＯＴ本体２１の底面を支持せず、背面に当接して前方側に押圧するようになる。開口部３１１にリブ２１２が挿通されているとともに突出片３２２によってＦＯＴ本体２１が前方側に押圧されていることで、ＦＯＴ本体２１の落下が抑制される。
【００６２】
ＦＯＴ２及びシールドケース３ｃをアライニングプレート４に対してさらに近づけていくと、突出片３２２が収容溝４５に徐々に収容されていく。このとき、突出片３２２がＦＯＴ本体２１に当接しなくなっても、背面縦壁４２１と前面板３１との間にＦＯＴ本体２１が挟み込まれるようになり、ＦＯＴ本体２１が背面側に移動することが規制される。従って、リブ２１２が開口部３１１から抜けにくく、ＦＯＴ本体２１の落下が抑制される。
【００６３】
図１８（Ｂ）に示すように、ＦＯＴ本体２１が載置部４１に載置されることで、ＦＯＴ２及びシールドケース３ｃのアライニングプレート４への組み付けが完了し、中間アッセンブリ１０ｃが形成される。収容溝４５に収容された突出片３２２が復元力によって背面縦壁４２１を押圧することにより、シールドケース３ｃ全体がＸ方向背面側に移動しようとする。従って、前面板３１によってＦＯＴ本体２１の前面が押圧されてＦＯＴ本体２１が背面縦壁４２１に押し付けられるとともに、背面板３２が挟持壁４３に押し付けられ、シールドケース３ｃのＦＯＴ本体２１に対するがたつきが抑制されるとともに、ＦＯＴ本体２１及びシールドケース３ｃのアライニングプレート４に対するがたつきが抑制される。中間アッセンブリ１０ｃは、第１実施形態及び第２実施形態と同様にハウジング５と結合する。
【００６４】
このような本実施形態によれば、以下のような効果がある。即ち、背面板３２の下側部分３２５と前面板３１との間隔が、ＦＯＴ本体２１のリブ２１２を含むＸ方向寸法よりも大きいとともに、アライニングプレート４による保持よりも先にＦＯＴ本体２１にシールドケース３ｃを組み付けて保持可能であることから、シールドケース３ｃをＦＯＴ本体２１に組み付ける際にリブ２１２と前面板３１とを干渉しにくくすることができる。
【００６５】
さらに、押圧部５６によって折曲部３１２が押圧され、ＦＯＴ本体２１及びシールドケース３ｂのアライニングプレート４に対するがたつきが抑制されていることで、ハウジング５のスリーブ５５に保持されたレンズユニット７とＦＯＴ本体２１との距離を略一定に保ちやすくし、ＦＯＴ本体２１による通信を安定化させることができる。
【００６６】
なお、本発明は、前記第１〜第３実施形態に限定されるものではなく、本発明の目的が達成できる他の構成等を含み、以下に示すような変形等も本発明に含まれる。
【００６７】
例えば、前記第１実施形態では、固定ピン６のピン本体６１が被挟持部５２４に当接するまで完全挿入された状態を正規状態としたが、先端部６２の突出寸法が充分に確保されていれば、完全挿入の手前の状態から完全挿入された状態までを正規状態としてもよい。
【００６８】
また、前記第１実施形態では、ハウジング５と中間アッセンブリ１０との相対接近時に第１ガイド溝５２２に中途挿入規制部４４４がガイドされるとともに第２ガイド溝５２５にガイド突起４４２がガイドされるものとしたが、これらのガイド機構のうちいずれか一方のみが設けられていてもよい。また、ハウジング５と中間アッセンブリ１０とが相対接近時に位置ずれしにくく作業性が充分に確保されていれば、ガイド機構は省略されていてもよい。
【００６９】
また、前記第１実施形態では、アライニングプレート４に形成された一対の規制リブ４４１がカバー板５３をＹ方向から挟み込むとともに、当接リブ４３１が規制凹溝５３１に嵌まり込み、ハウジング５と中間アッセンブリ１０とがＹ方向に相対移動することが規制されるものとしたが、Ｙ方向への相対移動を規制するこれらの機構のうちいずれか一方のみが設けられていてもよい。また、係止アーム５２１が変形しにくく係止が解除されにくい場合には、Ｙ方向への相対移動を規制する機構は省略されていてもよい。
【００７０】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００７１】
１、１ｂ    光コネクタ
２          ＦＯＴ（光学部品）
３、３ｂ、３ｃ     シールドケース
４          アライニングプレート（閉塞部材）
５          ハウジング
６          固定ピン
２１        ＦＯＴ本体（本体部）
３１        前面板
３２        背面板
３３        天板（連結部）
２１１      窓部
２１２      リブ
３１１      開口部
３１２      折曲部
３２２      突出片
４２１      背面縦壁（挿入壁部）
４４１      規制リブ
４４２      ガイド突起
４４４      中途挿入規制部
５１        底面部
５２        側面部
５３        カバー板（天面部）
５４        押圧突起
５６        押圧部
５２１      係止アーム
５２１Ａ    立設部
５２１Ｂ    アーム部
５２２      第１ガイド溝
５２３      ピン挿入部
５２５      第２ガイド溝
６１        ピン本体
６２        先端部
【図１】
0006574342.tif 000002
【図２】
0006574342.tif 000003
【図３】
0006574342.tif 000004
【図４】
0006574342.tif 000005
【図５】
0006574342.tif 000006
【図６】
0006574342.tif 000007
【図７】
0006574342.tif 000008
【図８】
0006574342.tif 000009
【図９】
0006574342.tif 000010
【図１０】
0006574342.tif 000011
【図１１】
0006574342.tif 000012
【図１２】
0006574342.tif 000013
【図１３】
0006574342.tif 000014
【図１４】
0006574342.tif 000015
【図１５】
0006574342.tif 000016
【図１６】
0006574342.tif 000017
【図１７】
0006574342.tif 000018
【図１８】
0006574342.tif 000019